(57)【要約】【課題】本発明が解決しようとする課題は、掃除機の吸引力を利用して、掃除道具に吸着したゴミの除去を、安定した状態で、楽な姿勢で手軽に行なえる除挨器を提供することである。【解決手段】除挨器１０は掃除道具に吸着したゴミを除去する除挨器であって、掃除機１６を収納できる筐体２０と、筐体２０の内部の底部に設置され掃除機１６のスタンドとして使用される台６０とを備える。そして、筐体２０の上面に掃除道具に吸着したゴミを吸い込むための吸引口２６が設けられ、筐体２０の内部に吸引口２６に開口し筐体２０の下部に達する筐体通風路３０が設置されている。そして、台６０の内部に台６０の側方に開口する台通風路が設けられ、台６０の上面に台通風路に繋がる掃除機用吸い込み口６６が設けられ、台通風路と筐体通風路３０が連通している。【選択図】図１
2015202176.tif 000002
【特許請求の範囲】
【請求項１】
ハンディワイパー等の掃除道具に吸着したゴミを除去する除挨器であって、
掃除機を収納できる筐体と、該筐体の内部の底部に設置され該掃除機のスタンドとして使用される台とを備え、該筐体の上面は開閉可能な構成とされており、
前記筐体の上面に上面開口部が設けられ、該筐体の上面又は側面に前記掃除道具に吸着したゴミを吸い込むための吸引口が設けられ、該筐体の内部に該吸引口に開口し該筐体の下部に達する筐体通風路が設置され、
前記台の内部に該台の外側に開口する台通風路が設けられ、該台の上面に該台通風路に繋がる掃除機用吸い込み口が設けられ、
前記台通風路と前記筐体通風路が連通している除挨器。
【請求項２】
ハンディワイパーや静電気クリーナーのようなゴミを吸着させる払拭部と保持用の把持部とを備えた掃除道具に吸着したゴミを除去する除挨器であって、
掃除機を収納できる筐体と、該筐体の内部の底部に設置され該掃除機のスタンドとして使用される台とを備え、該筐体の上面は開閉可能な構成とされており、
前記筐体の上面に上面開口部が設けられ、該筐体の上面又は側面に前記掃除道具に吸着したゴミを吸い込むための吸引口が設けられ、該筐体の内部に該吸引口に開口する筐体通風路が設置され、該筐体通風路は該筐体の下部で開口する通風路開口部を備え、
前記筐体の側面下部には前記台を該筐体の側面下部の外側に移動させることのできる台移動用開口部が設けられ、
前記台の内部に該台の外側に開口する台開口部を備えた台通風路が設けられ、該台の上面に該台通風路に繋がる掃除機用吸い込み口が設けられ、
前記台を前記筐体の内部に収容した状態では、前記台通風路の台開口部が前記筐体通風路の通風路開口部と接合して、該筐体に設けられた吸引口から該台の掃除機用吸い込み口に至る通風路が形成され、
前記台を前記筐体の側面下部の外側に引き出した状態では、前記台通風路の台開口部が該筐体の内部に開口する除挨器。
【請求項３】
ハンディワイパーや静電気クリーナーのようなゴミを吸着させる払拭部と保持用の把持部とを備えた掃除道具に吸着したゴミを取り除く除挨器であって、
掃除機を収納できる筐体と、該筐体の内部の底部に設置され該掃除機のスタンドとして使用される台とを備え、該筐体の上面は開閉可能な構成とされており、
前記筐体の上面に上面開口部が設けられ、該筐体の上面又は側面に前記掃除道具に吸着したゴミを吸い込むための吸引口が設けられ、該筐体の内部に該吸引口に開口する筐体通風路が設置され、
前記筐体の側面下部には前記台を該筐体の側面下部の外側に移動させることのできる台移動用開口部が設けられ、
前記台の内部に該台の外側の異なる部位に開口する、第１開口部を備えた第１通風路と第２開口部を備えた第２通風路が設けられ、該台の上面に前記第１通風路及び前記第２通風路の双方に繋がる掃除機用吸い込み口が設けられ、
前記第１通風路は前記筐体通風路と連通する構成とされ、前記第２通風路には前記第２開口部と前記掃除機用吸い込み口の間の通風を遮蔽する遮蔽機構が設置されており、
前記台を前記筐体の内部に収容した状態では、前記第２通風路の第２開口部は塞がれた状態となり、該台を該筐体の側面下部の外側に引き出した状態では、該第２通風路の第２開口部は該筐体の内部に開口した状態となる除挨器。
【請求項４】
請求項２に記載の除挨器であって、
更に、前記筐体の内部に該筐体の内部で回動が可能な回動式通風路を備え、
前記回動式通風路は前記筐体の上面から突出して開口する外部開口部と該筐体の内部に開口する内部開口部とを備え、前記外部開口部には吸引用開口部を備えた操作部材が取りつけられており、
前記台を前記筐体の側面下部に引き出した状態で、前記操作部材の回転操作により前記回動式通風路が回動し、該回動式通風路の内部開口部が前記台通風路の台開口部に接合することを特徴とする除挨器。
【請求項５】
請求項２から請求項４のいずれかの請求項に記載の除挨器であって、
前記掃除機が載置された状態の前記台を前記筐体の内外へ移動するとき該掃除機の移動経路にあたる該筐体の側面を、該筐体の側面に沿ってスライドさせて開閉できる側面扉とし、
前記掃除機が前記筐体の上面開口部から突出するときは、該掃除機が載置された状態の前記台を該筐体の内外へ移動するとき該掃除機の移動経路にあたる該筐体の上面開口部と側端の間の部位を、切り欠くか若しくは開閉できる上部扉とし、
前記台に前記掃除機を載置した状態で、該台を前記筐体の内外へ移動することができることを特徴とする除挨器。
【請求項６】
請求項１から請求項５のいずれかの請求項に記載の除挨器であって、
前記吸引口に差し込んで使用する吸引用ノズルを備え、該吸引用ノズルの開口面積が該吸引口よりも小さく、該吸引用ノズルの先端部が前記筐体の表面よりも外側に突出していることを特徴とする除挨器。
【請求項７】
請求項１から請求項５のいずれかの請求項に記載の除挨器であって、
前記吸引口には先端部が前記筐体の表面から突出しない状態で吸引用ノズルが収納されており、該吸引用ノズルをスライドさせて、該吸引用ノズルの先端部を前記筐体の表面から突出させることができることを特徴とする除挨器。
【請求項８】
請求項１から請求項５のいずれかの請求項に記載の除挨器であって、
前記筐体の上面又は側面に前記掃除道具に吸着したゴミを吸い込むための吸引口を合計で２個以上設け、前記各吸引口は前記筐体通風路に直接繋がるか、または、該筐体の内部に設置された補助通風路を介して該筐体通風路に繋がる構成とし、
前記各吸引口を塞ぐことができる遮蔽蓋を備えることを特徴とする除挨器。
【請求項９】
請求項１から請求項５のいずれかの請求項に記載の除挨器であって、
前記台の上面に、前記掃除機用吸い込み口に対応する部分を開口させた上面板を設置し、該台の掃除機用吸い込み口に近い側の端部となる前方側で該上面板を該台の上部に蝶番等を用いて固定し、該台の後方部と該上面板の間に弾性体を設置し、前記掃除機を該台に載置しない状態では該上面板の後方が持ち上がって傾斜することを特徴とする除挨器。
【発明の詳細な説明】
【技術分野】
【０００１】
この発明は除挨器に関する。さらに詳しくは、ハンディワイパー等の掃除道具に吸着した埃、花粉、糸くず等のゴミを掃除機の吸引力を利用して除去する除挨器に関する。
【背景技術】
【０００２】
手軽な掃除道具としてよく使われているものにハンディワイパーがある。ハンディワイパーは吸着性の高い繊維からなる払拭部が基材に取りつけられた払拭部材と、基材を装着するホルダーとハンディワイパーを保持する把持部が一体となった軸部材とから構成されている。そして、把持部を持ち払拭部で家具や家電製品の表面を拭いて、家具等に付着した埃、花粉、糸くず等のゴミを絡め取る。
【０００３】
ハンディワイパーは手軽に掃除ができて便利なものであるが、細かな繊維で埃、花粉、糸くず等のゴミを絡め取るため、一度吸着したゴミはハンディワイパーを振ったくらいではなかなか除去できない。よって、払拭部の汚れが目立つようになったら、新品と交換することになり、使い捨てが基本である。そのため、絡め取ったゴミと一緒にハンディワイパーの払拭部材自体がゴミとなり、絡め取ったゴミよりも遥かに膨大な量のゴミを生み出すこととなるため、地球環境に対して優しくないし、経済的でもない。
【０００４】
そこで、払拭部に吸着したゴミを除去して払拭部を再生することが環境的にも経済的にも好ましい。再生方法としては、水で洗うことも考えられるが、洗うと繊維が凝集して繊維の表面積が減少するため吸着力が低下する。そして、払拭部材をホルダーから外して、洗って、乾かす等の作業が面倒で時間もかかる。そのため、簡易な再生方法として、掃除機により、払拭部に吸着したゴミを吸い取る方法が利用されている。この方法によれば、払拭部を完全に再生することはできないが、大きな埃や糸くず等のゴミなどは取り除くことができ、ハンディワイパーを再び使用することができる。また、繊維が凝集してしまうと云う問題も生じない。
しかし、掃除機で払拭部に吸着したゴミを吸い取る作業は、掃除機の吸い込み口とハンディワイパーのいずれも固定されていないため、不安定な状態での作業となり、吸い取り作業がやりにくいという問題がある。
【０００５】
そこで、掃除道具に吸着したゴミを除去する装置として、特開２０１２−２４５３１８号公報（特許文献１）には、床面に沿った下端部を開口して吸引口とする掃除機が提案されている。特許文献１に記載の掃除機の吸引口には櫛状の掻き取り部材が備えられており、モップで寄せ集めたゴミを吸引口で吸い取って除去すると共に、モップを掻き取り部材にこすりつけて上下させることで、モップに絡みついたゴミを掻き落として除去することができる。
また、特開２００８−１５４８２６号公報（特許文献２）には、電気掃除機の吸引ホースを接続して使用するごみとり器が提案されている。特許文献２に記載のごみとり器は、平坦なボックス状のごみとり器の表面にスリット状の吸い込み口と掃除機の吸引ホースに接続される接続パイプを備えており、ごみとり器の内部には、吸い込み口を囲み接続パイプに連通するゴミ収納ボックスが配設されている。
なお、ゴミの除去方法が異なるが、掃除道具から振り落とされたゴミを環境に拡散させずに集めて除去する技術として、出願人の先願である、特許第５３７１０４６号公報（特許文献３）には、掃除道具から筐体内に振り落とされたゴミを掃除機で吸い取って除去する技術が開示されている。
【先行技術文献】
【特許文献】
【０００６】
【特許文献１】特開２０１２−２４５３１８号公報
【特許文献２】特開２００８−１５４８２６号公報
【特許文献３】特許第５３７１０４６号公報
【発明の概要】
【発明が解決しようとする課題】
【０００７】
特許文献１に記載の掃除機は、モップによる床掃除に特化した専用の掃除機なので、掃除機としての汎用性がないという問題がある。また、吸引口が床面のすぐ上にあるため、長い把持部を備えたモップのゴミ取りは楽な姿勢で行えるが、把持部の短いハンディワイパーのゴミ取りをする場合は、ハンディワイパーを床面近くで保持しなければならず、ゴミ取り作業が楽な姿勢で行えないという問題がある。
また、特許文献２に記載のごみとり器は汎用の掃除機が活用できる点で優れているが、ごみとり器の吸い込み口が床面のすぐ上となるので、特許文献１の掃除機と同様に、ハンディワイパーを床面近くで保持しなければならず、ゴミ取り作業が楽な姿勢で行えないという問題がある。また、汎用の掃除機を活用するため、掃除機を保管場所から持ち出して、掃除機の吸引ホースをごみとり器と接続するという準備作業が必要となる。
【０００８】
そこで、本発明が解決しようとする課題は、汎用の掃除機の吸引力を利用して、ハンディワイパー等の掃除道具に吸着したゴミの除去を、安定した状態で、楽な姿勢で手軽に行なえる除挨器を提供することである。
【課題を解決するための手段】
【０００９】
上記課題を解決するため、本発明にかかる除挨器は次の手段をとる。
まず、本発明の第１の発明は、ハンディワイパー等の掃除道具に吸着したゴミを除去する除挨器であって、
掃除機を収納できる筐体と、該筐体の内部の底部に設置され該掃除機のスタンドとして使用される台とを備え、該筐体の上面は開閉可能な構成とされており、
前記筐体の上面に上面開口部が設けられ、該筐体の上面又は側面に前記掃除道具に吸着したゴミを吸い込むための吸引口が設けられ、該筐体の内部に該吸引口に開口し該筐体の下部に達する筐体通風路が設置され、
前記台の内部に該台の外側に開口する台通風路が設けられ、該台の上面に該台通風路に繋がる掃除機用吸い込み口が設けられ、
前記台通風路と前記筐体通風路が連通している除挨器である。
【００１０】
この第１の発明によれば、掃除機を筐体に収納した状態で、筐体の上面開口部により掃除機が露出するため、掃除機を筐体に収納した状態で掃除機を作動させるための操作をすることができる。そして、掃除機を筐体の内部の台に載置して掃除機の吸い込み口を台の掃除機用吸い込み口に接合させておくことにより、掃除機の吸い込み口が筐体に設けられた吸引口に連通する。よって、接続等の準備をすることなく、手軽に、吸引口に掃除道具を当てて掃除道具に吸着した埃、花粉、糸くず等のゴミを除去することができる。そして、吸引口は筐体の上面又は側面に設けられ筐体に固定されているので、安定した状態で、楽な姿勢で掃除道具に吸着したゴミを除去することができる。また、汎用の掃除機を利用できるので経済的である。
【００１１】
次に、本発明の第２の発明は、ハンディワイパーや静電気クリーナーのようなゴミを吸着させる払拭部と保持用の把持部とを備えた掃除道具に吸着したゴミを除去する除挨器であって、
掃除機を収納できる筐体と、該筐体の内部の底部に設置され該掃除機のスタンドとして使用される台とを備え、該筐体の上面は開閉可能な構成とされており、
前記筐体の上面に上面開口部が設けられ、該筐体の上面又は側面に前記掃除道具に吸着したゴミを吸い込むための吸引口が設けられ、該筐体の内部に該吸引口に開口する筐体通風路が設置され、該筐体通風路は該筐体の下部で開口する通風路開口部を備え、
前記筐体の側面下部には前記台を該筐体の側面下部の外側に移動させることのできる台移動用開口部が設けられ、
前記台の内部に該台の外側に開口する台開口部を備えた台通風路が設けられ、該台の上面に該台通風路に繋がる掃除機用吸い込み口が設けられ、
前記台を前記筐体の内部に収納した状態では、前記台通風路の台開口部が前記筐体通風路の通風路開口部と接合して、該筐体に設けられた吸引口から該台の掃除機用吸い込み口に至る通風路が形成され、
前記台を前記筐体の側面下部の外側に引き出した状態では、前記台通風路の台開口部が該筐体の内部に開口する除挨器である。
【００１２】
この第２の発明によれば、掃除機及び台を筐体に収納した状態で、掃除機の吸い込み口を台の掃除機用吸い込み口に接合させておくことにより、掃除機の吸い込み口が台通風路と筐体通風路を経て筐体に設けられた吸引口に連通する。そして、筐体の上面開口部により掃除機が露出するため、掃除機を筐体に収納した状態で掃除機を作動させるための操作をすることができる。よって、接続等の準備作業をすることなく、手軽に、吸引口に掃除道具を当てて掃除道具に吸着した埃、花粉、糸くず等のゴミを除去することができる。そして、吸引口は筐体の上面又は側面に設けられ筐体に固定されているので、安定した状態で、楽な姿勢で掃除道具に吸着したゴミを除去することができる。また、汎用の掃除機を利用できるので経済的である。
そして、台を筐体の側面下部に引き出して掃除機を台に載置し掃除機の吸い込み口を台の掃除機用吸い込み口に接合させると、掃除機の吸い込み口が台通風路を経て筐体の内部に連通する。そこで、筐体の上面開口部から掃除道具の払拭部を筐体の内部に挿入して筐体の内部で払拭部を振り動かすことにより、掃除道具から筐体の内部に振り払われたゴミを吸い取ることができる。
この第２の発明の除挨器では、静電気クリーナーに吸着した埃のように掃除道具を振り動かす程度で落ちるゴミは筐体の内部で振り払うことにより、短時間で払拭部全体に吸着したゴミを環境に拡散させずに除去することができる。そして、ハンディワイパーに吸着した毛髪や糸くずのように掃除道具を振り動かす程度では落ちないゴミは吸引口で吸い取って除去することができる。よって、ゴミの吸着の程度・状態により、二つの除去方法を選択または併用することができる利点がある。
【００１３】
次に、本発明の第３の発明は、ハンディワイパーや静電気クリーナーのようなゴミを吸着させる払拭部と保持用の把持部とを備えた掃除道具に吸着したゴミを取り除く除挨器であって、
掃除機を収納できる筐体と、該筐体の内部の底部に設置され該掃除機のスタンドとして使用される台とを備え、該筐体の上面は開閉可能な構成とされており、
前記筐体の上面に上面開口部が設けられ、該筐体の上面又は側面に前記掃除道具に吸着したゴミを吸い込むための吸引口が設けられ、該筐体の内部に該吸引口に開口する筐体通風路が設置され、
前記筐体の側面下部には前記台を該筐体の側面下部の外側に移動させることのできる台移動用開口部が設けられ、
前記台の内部に該台の外側の異なる部位に開口する、第１開口部を備えた第１通風路と第２開口部を備えた第２通風路が設けられ、該台の上面に前記第１通風路及び前記第２通風路の双方に繋がる掃除機用吸い込み口が設けられ、
前記第１通風路は前記筐体通風路と連通する構成とされ、前記第２通風路には前記第２開口部と前記掃除機用吸い込み口の間の通風を遮蔽する遮蔽機構が設置されており、
前記台を前記筐体の内部に収納した状態では、前記第２通風路の第２開口部は塞がれた状態となり、該台を該筐体の側面下部の外側に引き出した状態では、該第２通風路の第２開口部は該筐体の内部に開口した状態となる除挨器である。
【００１４】
この第３の発明によれば、掃除機及び台を筐体に収納した状態で、筐体の上面開口部により掃除機が露出するため、掃除機を筐体に収納した状態で掃除機を作動させるための操作をすることができる。そして、掃除機を筐体の内部で台に載置した状態で掃除機の吸い込み口を台の掃除機用吸い込み口に接合させておくことにより、掃除機の吸い込み口が繋がる第１通風路は筐体通風路を経て筐体に設けられた吸引口に連通し、掃除機の吸い込み口が繋がる第２通風路の第２開口部は塞がれた状態となる。よって、接続等の準備作業をすることなく、手軽に、吸引口に掃除道具を当てて掃除道具に吸着した埃、花粉、糸くず等のゴミを除去することができる。そして、吸引口は筐体の上面又は側面に設けられ筐体に固定されているので、安定した状態で、楽な姿勢で掃除道具に吸着したゴミを除去することができる。また、汎用の掃除機を利用できるので経済的である。
そして、台を筐体の側面下部に引き出して掃除機を台に載置し掃除機の吸い込み口を台の掃除機用吸い込み口に接合させると、掃除機の吸い込み口が繋がる第２通風路の第２開口部が筐体の内部に開口する。そこで、筐体の上面開口部から掃除道具の払拭部を筐体の内部に挿入して筐体の内部で払拭部を振り動かすことにより、掃除道具から筐体の内部に振り払われたゴミを吸い取ることができる。
なお、台を筐体の側面下部に引き出して掃除機を台に載置した状態でも、掃除機の吸い込み口は第１通風路を経由して筐体に設けられた吸引口に連通しているが、吸引口よりも筐体の上面開口部の方が開口面積が広いので、吸引口の吸引力は弱い。ここで、第２通風路に設置された遮蔽機構で第２通風路の第２開口部と掃除機用吸い込み口の間の通風を遮蔽すると、掃除機の吸い込み口に連通して開口するのは吸引口のみになるので、吸引口に掃除道具を当てて掃除道具に吸着したゴミを除去することができるようになる。
この第３の発明の除挨器では、台および掃除機を筐体の外に出したままで、台の第２通風路に設けられた遮蔽機構の開閉により、筐体の内部に振り払われたゴミの除去と、吸引口で吸い取るゴミの除去を手軽に切り替えることができる。
【００１５】
次に、上述の第２の発明の除挨器では、更に、筐体の内部に筐体の内部で回動が可能な回動式通風路を備え、回動式通風路は筐体の上面から突出して開口する外部開口部と筐体の内部に開口する内部開口部とを備え、外部開口部には吸引用開口部を備えた操作部材が取りつけられており、台を筐体の側面下部に引き出した状態で、操作部材の回転操作により回動式通風路が回動し、回動式通風路の内部開口部が台通風路の台開口部に接合する構成としても良い。
この構成では、第２の発明と同様に、掃除機及び台を筐体に収納した状態で、吸引口に掃除道具を当てて掃除道具に吸着したゴミを除去することができ、台を筐体の側面下部に引き出して掃除機を台に載置した状態で、掃除道具から筐体の内部に振り払われたゴミを吸い取ることができる。
そして、台を筐体の側面下部に引き出した状態で、操作部材の回転操作により、回動式通風路の内部開口部が台通風路の台開口部に接合し、台の掃除機用吸い込み口が回動式通風路の外部開口部に取りつけられた操作部材の吸引用開口部に連通する。よって、台を筐体の側面下部に引き出した状態で、操作部材の吸引用開口部に掃除道具を当てて掃除道具に吸着したゴミを除去することができるようになる。そして、操作部材を逆回転させて元の向きに戻せば、台開口部は筐体の内部に開口し、掃除道具から筐体の内部に振り払われたゴミを吸い取ることができる。
この構成では、台および掃除機を筐体の外に出したままで、回動式通風路の外部開口部に取りつけられた操作部材の回転操作により、筐体の内部に振り払われたゴミの除去と、操作部材の吸引用開口部で吸い取るゴミの除去を手軽に切り替えることができる。
【００１６】
次に、台移動用開口部を備えた除挨器では、掃除機が載置された状態の台を筐体の内外へ移動するとき掃除機の移動経路にあたる筐体の側面を、筐体の側面に沿ってスライドさせて開閉できる側面扉とし、掃除機が筐体の上面開口部から突出するときは、掃除機が載置された状態の台を筐体の内外へ移動するとき掃除機の移動経路にあたる筐体の上面開口部と側端の間の部位を、切り欠くか若しくは開閉できる上部扉とし、台に掃除機を載置した状態で、台を筐体の内外へ移動することができる構成としても良い。
この構成では、簡便に、掃除機を筐体から出したり筐体の内部へ収納したりすることができる。そして、側面扉がスライド式であれば、掃除機と台を筐体から出した状態で、側面扉を筐体と掃除機の間でスライドさせることができるので、側面扉を開閉するときに掃除機が邪魔にならず、側面扉の開閉が容易である。
【００１７】
次に、除挨器の吸引口には、吸引口に差し込んで使用する吸引用ノズルを備え、吸引用ノズルの開口面積が吸引口よりも小さく、吸引用ノズルの先端部が筐体の表面よりも外側に突出した構成としても良い。
この構成では、開口面積が小さな吸引用ノズルを使うことで吸引力が強くなる。また、吸引用ノズルの先端部が筐体の表面から突出して掃除道具の払拭部の内部まで入るので、払拭部の内部に入り込んだゴミを除去することが容易である。
【００１８】
次に、除挨器の吸引口には、先端部が筐体の表面から突出しない状態で吸引用ノズルが収納されており、吸引用ノズルをスライドさせて、吸引用ノズルの先端部を筐体の表面から突出させることができる構成としても良い。
この構成では、吸引用ノズルを筐体の表面から突出させることにより、吸引用ノズルの先端部が掃除道具の払拭部の内部まで入るので、払拭部の内部に入り込んだゴミを除去することが容易となる。また、吸引用ノズルの保管が容易である。
【００１９】
次に、除挨器の筐体の上面又は側面に掃除道具に吸着したゴミを吸い込むための吸引口を合計で２個以上設け、各吸引口は筐体通風路に直接繋がるか、または、筐体の内部に設置された補助通風路を介して筐体通風路に繋がる構成とし、各吸引口を塞ぐことができる遮蔽蓋を備える構成としても良い。
この構成によれば、位置、開口面積等により掃除道具に吸着したゴミの除去に適した吸引口を選択できる。そして選択しなかった吸引口には遮蔽蓋をかぶせることで、選択した吸引口に掃除機の吸引力を集中させることができる。
【００２０】
次に、除挨器の台の上面に、掃除機用吸い込み口に対応する部分を開口させた上面板を設置し、台の掃除機用吸い込み口に近い側の端部となる前方側で上面板を台の上部に蝶番等を用いて固定し、台の後方部と上面板の間に弾性体を設置し、掃除機を台に載置しない状態では上面板の後方が持ち上がって傾斜する構成としても良い。
台の上面に傾斜があれば、掃除機の吸い込み具を台に載置し易くなる。
【００２１】
次に、吸引用ノズルを備えた除挨器では、吸引用ノズルの側壁部を櫛状としてもよい。  吸引用ノズルの側壁部を櫛状とすれば、掃除道具の払拭部に絡みついた糸くず等の除去が容易である。
【発明の効果】
【００２２】
上述の本発明の各発明によれば、次の効果が得られる。
まず、上述の第１の発明によれば、掃除機を筐体に収納した状態で、筐体の上面開口部により掃除機が露出するため、掃除機を筐体に収納した状態で掃除機を作動させるための操作をすることができる。そして、掃除機を筐体の内部の台に載置した状態で掃除機の吸い込み口を筐体に設けられた吸引口に連通させておくことができる。よって、接続等の準備をすることなく、手軽に、吸引口に掃除道具を当てて掃除道具に吸着した埃、花粉、糸くず等のゴミを除去することができる。そして、吸引口は筐体の上面又は側面に設けられ筐体に固定されているので、安定した状態で、楽な姿勢で掃除道具に吸着したゴミを除去することができる。また、汎用の掃除機を利用できるので経済的である。
【００２３】
次に上述の第２の発明によれば、掃除機及び台を筐体に収納した状態で、掃除機の吸い込み口を台の掃除機用吸い込み口に接合させておくことにより、掃除機の吸い込み口が筐体に設けられた吸引口に連通する。そして、筐体の上面開口部により掃除機が露出するため、掃除機を筐体に収納した状態で掃除機を作動させるための操作をすることができる。よって、接続等の準備作業をすることなく、手軽に、吸引口に掃除道具を当てて掃除道具に吸着した埃、花粉、糸くず等のゴミを除去することができる。そして、吸引口は筐体の上面又は側面に設けられ筐体に固定されているので、安定した状態で、楽な姿勢で掃除道具に吸着したゴミを除去することができる。また、汎用の掃除機を利用できるので経済的である。
そして、台を筐体の側面下部に引き出して掃除機を台に載置し掃除機の吸い込み口を台の掃除機用吸い込み口に接合させると、掃除機の吸い込み口が台通風路を経て筐体の内部に連通する。そこで、筐体の上面開口部から掃除道具の払拭部を筐体の内部に挿入して筐体の内部で払拭部を振り動かすことにより、掃除道具から筐体の内部に振り払われたゴミを吸い取ることができる。
この第２の発明の除挨器では、掃除道具を振り動かす程度で落ちるゴミは筐体の内部で振り払うことにより、短時間で払拭部全体に吸着したゴミを環境に拡散させずに除去することができる。そして、掃除道具を振り動かす程度では落ちないゴミは吸引口で吸い取って除去することができる。よって、ゴミの吸着の程度・状態により、二つの除去方法を選択または併用することができる利点がある。
【００２４】
次に上述の第３の発明によれば、掃除機及び台を筐体に収納した状態で、掃除機の吸い込み口を台の掃除機用吸い込み口に接合させておくことにより、接続等の準備作業をすることなく、手軽に、吸引口に掃除道具を当てて掃除道具に吸着した埃、花粉、糸くず等のゴミを除去することができる。そして、吸引口は筐体の上面又は側面に設けられ筐体に固定されているので、安定した状態で、楽な姿勢で掃除道具に吸着したゴミを除去することができる。また、汎用の掃除機を利用できるので経済的である。
そして、この第３の発明の除挨器では、台および掃除機を筐体の外に出したままで、台の第２通風路に設置された遮蔽機構の開閉により、筐体の内部に振り払われたゴミの除去と、吸引口で吸い取るゴミの除去を手軽に切り替えることができる。
【００２５】
次に、上述の回動式通風路を備えた構成では、台および掃除機を筐体の外に出したままで、操作部材の回転操作により、筐体の内部に振り払われたゴミの除去と、操作部材の吸引用開口部で吸い取るゴミの除去を手軽に切り替えることができる。
次に、筐体の側面をスライド式の側面扉とし、必要に応じて切り欠き又は上部扉を設けることにより、掃除機を台に載せたままで、筐体の側面から、掃除機を筐体から出したり筐体の内部へ収納したりすることができる。また、スライド式の側面扉は筐体と掃除機の間でスライドさせることができるので、側面扉を開閉するときに掃除機が邪魔にならず、側面扉の開閉が容易である。
次に、吸引口に吸引用ノズルを差し込むことで吸引力が強くなるとともに、掃除道具の内部に入り込んだゴミを除去することが容易となる。
次に、吸引口からスライドさせて突出させる吸引用ノズルは、吸引用ノズルの保管が容易である。
次に、吸引口を２個以上設ければ、位置、開口面積等により掃除道具に吸着したゴミの除去に適した吸引口を選択できる。
次に、台の上面に傾斜した上面板を設置すれば、掃除機の吸い込み具を台に載置し易くなる。
次に、吸引用ノズルの側壁部を櫛状とすれば、掃除道具の払拭部に絡みついた糸くず等の除去が容易である。
【図面の簡単な説明】
【００２６】
【図１】実施例１の除挨器の斜視図である。
【図２】実施例１の除挨器の各部の構造を説明するため筐体と台と掃除機を別々に表示した図である。
【図３】実施例１の除挨器の図１のＡ−Ａ位置における断面図である。
【図４】実施例２の除挨器の台を筐体に収納した状態の斜視図である。
【図５】実施例２の除挨器の台を引き出した状態の斜視図である。
【図６】実施例２の除挨器の内部の様子を裏側から見た斜視図である。
【図７】実施例２の除挨器の変形例の斜視図である。
【図８】実施例３の除挨器の台を引き出した状態の斜視図である。
【図９】実施例３の除挨器の台を筐体に収納した状態の斜視図である。
【図１０】実施例３の除挨器の台の構造を示す図である。
【図１１】実施例４の除挨器の台を筐体に収納した状態の斜視図である。
【図１２】実施例４の除挨器の台を引き出した状態の斜視図である。
【図１３】実施例４の除挨器の内部の様子を裏側から見た斜視図である。
【図１４】実施例４の除挨器の回動式通風路を回転移動した状態の斜視図である。
【図１５】吸引用ノズルの構造を示す図である。
【図１６】上面板が設置された台の構造を示す図である。
【図１７】吸い込み具と本体が吸引ホースで接続された掃除機を除挨器の台に載置した状態を示す図である。
【図１８】ガイド治具を備えた台の構造を示す図である。
【発明を実施するための形態】
【００２７】
以下、本発明を実施するための形態について実施例にしたがって説明する。
【実施例１】
【００２８】
［実施例１の構成］
図１に本発明の実施例１の除挨器１０の斜視図を示す。除挨器１０はハンディワイパー１２等の掃除道具に吸着したゴミを除去する除挨器であって、掃除機１６を収納できる筐体２０と、筐体２０の内部の底部に設置され掃除機１６のスタンドとして使用される台６０とを備え、筐体２０の上面は開閉可能な蓋２２で構成されている。なお、図１では内部の様子が分かるように筐体２０の側面の１部を透視して表示している。
そして筐体２０の上面の蓋２２に上面開口部２４が設けられており、上面開口部２４から掃除機１６の把持部１７が突出している。そして、筐体２０の上面の蓋２２にハンディワイパー１２等の掃除道具に吸着したゴミを吸い込むための吸引口２６が設けられている。そして、筐体２０の内部に吸引口２６に開口し筐体２０の下部に達する筐体通風路３０が設置されている。
【００２９】
図２には、除挨器１０の各部の構造を説明するため筐体２０と台６０と掃除機１６を別々に表示している。図２（ａ）は、筐体２０と蓋２２と筐体２０の内部の構造物を示しており、図２（ｂ）は、掃除機１６を筐体２０から取り出して上下をひっくり返して吸い込み具１８の側から見た状態を示している。そして、図２（ｃ）は、台６０を筐体２０から取り出して前後が入れ替わるように回転させた状態を示しており、図２（ｄ）は、図２(ｃ)の台６０を裏返した状態を想像線で示している。
筐体２０の内部に設置された筐体通風路３０の下部には通風路開口部３２が設けられており、筐体２０の底面にはスライドレール３６が取りつけられている。そして、筐体通風路３０が設置された側の筐体２０の側面の内側には磁石製のストッパ３８が貼り付けられている。そして、掃除機１６の吸い込み具１８の裏側には吸い込み口１９が設けられている。
台６０の内部に台６０の側方に開口する台開口部６４を備えた台通風路６３が設けられ、台６０の上面には台通風路６３に繋がる掃除機用吸い込み口６６が設けられており、台６０の下面にはローラー６１が嵌め込まれている。そして、台６０の台開口部６４が設けられた側面には磁石につく性質を有する金属板６２が貼り付けられている。
【００３０】
そして、台６０のローラー６１を筐体２０の底部のスライドレール３６に乗せて台６０の金属板６２が筐体２０のストッパ３８に接触する位置に台６０を配置すると、台通風路６３の台開口部６４と筐体通風路３０の通風路開口部３２が接合した状態となる。そして、台通風路６３と筐体通風路３０が連通し、筐体２０に設けられた吸引口２６から台通風路６３に設けられた掃除機用吸い込み口６６に至る通風路が形成される。そこで、図１に点線で示すように、掃除機１６の吸い込み具１８の吸い込み口１９が台６０の掃除機用吸い込み口６６と接合した状態となるように、掃除機１６を台６０に載置しておけば、掃除機１６を筐体２０に収納した状態で、掃除機１６の吸い込み口１９が筐体２０の吸引口２６に連通する。
図３に図１のＡ−Ａ位置における除挨器１０の断面を示す。図３（ａ）には全体の断面を、図３（ｂ）には台６０の部分の拡大図を示す。掃除機１６を台６０に載置した状態で、掃除機１６の吸い込み具１８の吸い込み口１９を台６０の掃除機用吸い込み口６６と接合させるためには、例えば、台６０の上面に吸い込み具１８の底面よりも少し大きな凹部を設ける。そして、台６０の凹部に掃除機１６の吸い込み具１８を載せると、凹部の範囲で吸い込み具１８が動いても吸い込み具１８の吸い込み口１９と台６０の掃除機用吸い込み口６６の接合が保たれる構成とすることができる。
【００３１】
［実施例１の効果］
実施例１の除挨器１０によれば、掃除機１６を筐体２０に収納した状態で、掃除機１６を作動させるスイッチのある把持部１７は筐体の上面開口部２４から突出している。そして、掃除機１６を筐体２０の内部の台６０に載置して掃除機１６の吸い込み口１９を台６０の掃除機用吸い込み口６６に接合させておくことにより、掃除機１６の吸い込み口１９が台通風路６３と筐体通風路３０を経て筐体２０に設けられた吸引口２６に連通する。
よって、接続等の準備をすることなく、手軽に、吸引口２６にハンディワイパー１２等の掃除道具を当てて掃除道具に吸着した埃、花粉、糸くず等のゴミを除去することができる。そして、吸引口２６は筐体２０の上面の蓋２２に設けられ筐体２０に固定されているので、安定した状態で、楽な姿勢で掃除道具に吸着したゴミを除去することができる。また、汎用の掃除機１６を利用できるので経済的である。
【実施例２】
【００３２】
［実施例２の構成］
図４に本発明の実施例２の除挨器１０ａの斜視図を示す。除挨器１０ａはハンディワイパーや静電気クリーナーのようなゴミを吸着させる払拭部と保持用の把持部とを備えた掃除道具に吸着したゴミを除去する除挨器であって、掃除機１６を収納できる筐体２０ａと、筐体２０ａの内部の底部に設置され掃除機１６のスタンドとして使用される台６０ａとを備え、筐体２０ａの上面は開閉可能な蓋２２ａで構成とされている。
そして、筐体２０ａの上面の蓋２２ａに上面開口部２４ａが設けられ、上面開口部２４ａから掃除機１６の把持部１７が突出している。そして、筐体２０ａの上面の蓋２２ａに掃除道具に吸着したゴミを吸い込むための吸引口２６ａが設けられている。そして、筐体２０ａの内部に吸引口２６ａに開口し筐体２０ａの下部に達する筐体通風路３０ａが設置されている。
そして、筐体２０ａの側面下部には台６０ａを筐体２０ａの側面下部の外側に移動させることのできる台移動用開口部３４ａが設けられている。
【００３３】
そして、掃除機１６が載置された状態の台６０ａを筐体２０ａの内外へ移動するとき掃除機１６の移動経路にあたる筐体２０ａの側面は、筐体２０ａの側面に沿ってスライドさせて開閉できる側面扉２７ａとされている。そして、掃除機１６が載置された状態の台６０ａを筐体２０ａの内外へ移動するとき掃除機の移動経路にあたる筐体２０ａの上面の蓋２２ａの上面開口部２４ａと筐体２０ａの側端の間の部位は切り欠かれて、切り欠き部４０ａとなっている。これにより、台６０ａに掃除機１６を載置した状態で、台６０ａを筐体２０ａの内外へ移動することができる。
【００３４】
図５に、台６０ａに掃除機１６を載置し側面扉２７ａを開けて、台６０ａを台移動用開口部３４ａから筐体２０ａの外部に引き出した状態を台６０ａの側から見た除挨器１０ａの斜視図を示す。図５では側面扉２７ａのスライド構造を説明するために側面扉２７ａを透視表示している。そして、図６に台６０ａに掃除機１６を載置して台６０ａを筐体２０ａの外部に引き出し側面扉２７ａを閉めた状態で台６０ａの反対側から見た除挨器１０ａの斜視図を示す。図６では内部の様子が分かるように筐体２０ａの背部の側面を透視表示している。
【００３５】
図５に示すように、側面扉２７ａには筐体２０ａの側に扉の幅一杯にレール２８ａが取りつけられており、レール２８ａが筐体２０ａの側面に取りつけられたスライドブロック２９ａに沿ってスライドする構成とされている。スライドブロック２９ａは、レール２８ａに対するスライド面に直線駆動ベアリングが装着されたベアリングブロックである。そして、側面扉２７ａには、側面扉２７ａを開くときにスライドさせる側の側端部に縦方向を向いたレバー４１ａが取りつけられており、レバー４１ａの上方端部を軸として回転させレバー４１ａを側面扉２７ａの外側に引き出して、突起物４２ａによりレバー４１ａを横向きに固定できる構造となっている。
そして、筐体通風路３０ａの下部に通風路開口部３２ａが設けられている。そして、筐体２０ａの底面にはスライドレール３６ａが取りつけられており、筐体２０ａの筐体通風路３０ａが設置された側面の内側には磁石製のストッパ３８ａが貼り付けられている。
台６０ａの後方端部には、台移動用開口部３４ａの上端よりも上方に伸びる台ストッパ６５ａが形成されており、台ストッパ６５ａが筐体２０ａの内側に当たる位置で台６０ａの引き出しが止まる構造となっている。
【００３６】
そして、図６に示すように、台６０ａの内部に台６０ａの側方に開口する台開口部６４ａを備えた台通風路６３ａが設けられており、台６０ａの上面には図５に点線で示すように掃除機用吸い込み口６６ａが設けられており、掃除機用吸い込み口６６ａは台通風路６３と繋がっている。そして、台６０ａの下面には実施例１と同様にローラーが嵌め込まれており、台６０ａの台開口部６４ａが設けられた側面には磁石につく性質を有する金属板６２ａが貼り付けられている。
そして、ローラーをスライドレール３６ａに乗せて台６０ａを筐体２０ａに収納し、台６０ａの金属板６２ａが筐体２０ａのストッパ３８ａに接触する位置に台６０ａを置くと、台通風路６３ａの台開口部６４ａと筐体通風路３０ａの通風路開口部３２ａが接合した状態となる。
なお、図５に点線で示すように、掃除機１６を台６０ａに載置した状態で、掃除機１６の吸い込み具１８の吸い込み口１９を台６０ａの掃除機用吸い込み口６６ａと接合させるためには、台６０ａの上面に掃除機１６の吸い込み具１８を置く位置をカラーテープ等でマークしてこれをガイドとして掃除機１６の吸い込み具１８を台６０ａの上面に載置してもよい。また、台６０ａの上面に、かまぼこ状の凸物を吸い込み具１８を載置する位置の外側に沿ってガイドとして設置しても良い。
【００３７】
［実施例２の効果］
実施例２の除挨器１０ａによれば、台６０ａのローラーをスライドレール３６ａに乗せて台６０ａの金属板６２ａが筐体２０ａのストッパ３８ａに接触する位置で台６０ａを筐体２０ａに収納することができる。そして、掃除機１６の吸い込み口１９を台６０ａの掃除機用吸い込み口６６ａに接合させて掃除機１６を台６０ａに載置することができる。そして、この状態で、掃除機１６の吸い込み口１９が台通風路６３ａと筐体通風路３０ａを経て筐体２０ａに設けられた吸引口２６ａに連通する。そして、掃除機１６を作動させるスイッチのある把持部１７は筐体２０ａの上面開口部２４ａから突出している。
よって、接続等の準備作業をすることなく、手軽に、吸引口２６ａに掃除道具を当てて掃除道具に吸着した埃、花粉、糸くず等のゴミを除去することができる。そして、吸引口２６ａは筐体２０ａの上面の蓋２２ａに設けられ筐体２０ａに固定されているので、安定した状態で、楽な姿勢で掃除道具に吸着したゴミを除去することができる。また、汎用の掃除機を利用できるので経済的である。
【００３８】
そして、台６０ａを筐体２０ａの側面下部に引き出して掃除機１６を台６０ａに載置し掃除機１６の吸い込み口１９を台６０ａの掃除機用吸い込み口６６ａに接合させると、掃除機の吸い込み口１９が台通風路６３ａを経て筐体２０ａの内部に連通する。そこで、筐体２０ａの上面開口部２４ａから掃除道具の払拭部を筐体２０ａの内部に挿入して筐体２０ａの内部で払拭部を振り動かすことにより、掃除道具から筐体２０ａの内部に振り払われたゴミを吸い取ることができる。
除挨器１０ａでは、静電気クリーナーに吸着したほこりのように掃除道具を振り動かす程度で落ちるゴミは筐体２０ａの内部で振り払うことにより、短時間で払拭部全体に吸着したゴミを環境に拡散させずに除去することができる。そして、ハンディワイパーに吸着した毛髪や糸くずのように掃除道具を振り動かす程度では落ちないゴミは吸引口２６ａで吸い取って除去することができる。よって、ゴミの吸着の程度・状態により、二つの除去方法を選択または併用することができる利点がある。
【００３９】
そして、筐体２０ａが切り欠き部４０ａと側面扉２７ａを備えているため、側面扉２７ａを開けて、台６０ａに掃除機１６を載置した状態のままで、台６０ａを筐体２０ａの内外へ移動することができる。そして、側面扉２７ａがスライド式なので、掃除機１６と台６０ａを筐体２０ａから出した状態で、側面扉２７ａを筐体２０ａと掃除機１６の間でスライドさせることができるので、側面扉２７ａを開閉するときに掃除機１６が邪魔にならず、側面扉２７ａの開閉が容易である。
【００４０】
［実施例２の変形例］
図７に、実施例２の変形例である除挨器１０ｂの斜視図を示す。図７では内部の様子が分かるように筐体２０ｂの側面の１部を透視表示している。
除挨器１０ｂの蓋２２ｂには、吸引口２６ｂの他に、掃除道具に吸着したゴミを吸引するための別の吸引口５６ｂが設けられており、吸引口５６ｂは、筐体２０ｂの内部に設置された補助通風路５８ｂを介して筐体通風路３０ｂに繋がっている。そして、図示は省略しているが、吸引口２６ｂ及び吸引口５６ｂは開口部を塞ぐことのできる遮蔽蓋を備えている。
そして、吸引口５６ｂには、吸引口５６ｂに差し込んで使用する吸引用ノズル４５ｂを備えており、吸引用ノズル４５ｂの開口面積は吸引口５６ｂの開口面積よりも小さい。そして、吸引用ノズル４５ｂを吸引口５６ｂに差し込むと、吸引用ノズル４５ｂの側壁部４８ｂの１部と先端部４６ｂが筐体２０ｂの表面よりも外側に突出する。なお、吸引口２６ｂに差し込んで使用できる吸引用ノズルを備えても良い。
除挨器１０ｂの他の構成は除挨器１０ａと同様なので、対応する符号を付して詳細な説明は省略する。
【００４１】
除挨器１０ｂによれば、吸引口２６ｂと吸引口５６ｂの位置、開口面積等により、掃除道具に吸着したゴミの除去に適した吸引口２６ｂまたは吸引口５６ｂを選択して使用できる。使用しない吸引口には遮蔽蓋をかぶせることにより、選択した吸引口に掃除機の吸引力を集中させることができる。そして、除挨器１０ａと同様に、筐体によるゴミの除去と吸引口によるゴミの除去の二つの除去方法を選択または併用できる。
そして、吸引口２６ｂあるいは吸引口５６ｂよりも開口面積の小さな吸引用ノズルを使うことで吸引力が強くなる。また、吸引用ノズルの先端部が掃除道具の払拭部の内部まで入るので、払拭部の内部に入り込んだゴミを除去することが容易となる。
【実施例３】
【００４２】
［実施例３の構成］
図８及び図９に本発明の実施例３における除挨器１０ｃの斜視図を示す。除挨器１０ｃはハンディワイパーや静電気クリーナーのようなゴミを吸着させる払拭部と保持用の把持部とを備えた掃除道具に吸着したゴミを除去する除挨器である。除挨器１０ｃは掃除機１６を収納できる筐体２０ｃと、筐体２０ｃの内部の底部に設置され掃除機１６のスタンドとして使用される台６０ｃとを備え、筐体２０ｃの上面は開閉可能な蓋２２ｃで構成とされている。そして、筐体２０ｃの側面下部には台６０ｃを筐体２０ｃの側面下部の外側に移動させることのできる台移動用開口部３４ｃが設けられている。
図８に台６０ｃを台移動用開口部３４ｃから筐体２０ｃの側面下部へ引き出した状態を、筐体２０ｃの側面の１部を透視して示している。台６０ｃに掃除機１６が載置されており、掃除機１６の吸い込み具１８の吸い込み口１９は、台６０ｃの上面に設けられた掃除機用吸い込み口６６ｃに接合している。
図９に台６０ｃを台移動用開口部３４ｃから筐体２０ｃの内部に収納した状態を、筐体２０ｃの側面の１部を透視して示している。台６０ｃに掃除機１６が載置されており、筐体２０ｃの上面の蓋２２ｃに上面開口部２４ｃが設けられ、上面開口部２４ｃから掃除機１６の把持部１７が突出している。そして、筐体２０ｃの上面の蓋２２ｃに掃除道具に吸着したゴミを吸い込むための吸引口２６ｃが設けられている。そして、筐体２０ｃの内部に吸引口２６ｃに開口する筐体通風路３０ｃが設置されている。
【００４３】
掃除機１６が載置された状態の台６０ｃを筐体２０ｃの内外へ移動するとき掃除機１６の移動経路にあたる筐体２０ｃの側面は、筐体２０ｃの側面に沿ってスライドさせて開閉できる側面扉２７ｃとされている。そして、掃除機１６が載置された状態の台６０ｃを筐体２０ｃの内外へ移動するとき掃除機の移動経路にあたる筐体２０ｃの上面の蓋２２ｃの上面開口部２４ｃと筐体２０ｃの側端の間は、筐体２０ｃの表面に沿ってスライドさせて開閉できる上部扉４３ｃとされている。これにより、台６０ｃに掃除機１６を載置した状態で、台６０ｃを筐体２０ｃの内外へ移動することができる。
そして、側面扉２７ｃの筐体２０ｃの側に、図８に点線で示したように側面扉２７ｃの幅分の長さのレール２８ｃが取りつけられており、レール２８ｃが筐体２０ｃの側面に取りつけられたスライドブロックに沿ってスライドする構成とされている。そして、側面扉２７ｃには、側面扉２７ｃをスライドさせる時の保持用に、側面扉２７ｃを開くときにスライドさせる側の側端部のレール２８ｃが取りつけられた高さ位置に、円柱状の保持部４４ｃが取りつけられている。なお、上部扉４３ｃも横方向にスライドして開閉する構造となっている。
【００４４】
図１０に台６０ｃの構造を示す。図１０（ａ）に台６０ｃの平面図を示す。そして、図１０（ｂ）に図１０（ａ）のＢ−Ｂ位置における断面、図１０（ｃ）に図１０（ａ）のＣ−Ｃ位置における断面、図１０（ｄ）に図１０（ａ）のＤーＤ位置における断面を示す。図１０（ａ）〜図１０（ｄ）に示す通り、台６０ｃの内部に台６０ｃの外側の異なる部位に開口する、第１開口部６９ｃを備えた第１通風路６８ｃと第２開口部７３ｃを備えた第２通風路７２ｃが設けられている。そして、台６０ｃの上面に第１通風路６８ｃ及び第２通風路７２ｃの双方に繋がる掃除機用吸い込み口６６ｃが設けられている。
そして、第１通風路６８ｃの第１開口部６９ｃと筐体通風路３０ｃの下部に設けられた通風路開口部が図８、図９に示すフレキシブルパイプ７０ｃで結ばれて、第１通風路６８ｃと筐体通風路３０ｃが連通する構成とされている。通風路開口部はフレキシブルパイプ７０ｃの端部に隠れており、図８、図９には現れない。フレキシブルパイプ７０ｃの筐体通風路３０ｃの側の端部は筐体通風路３０ｃの通風路開口部に固定されており、フレキシブルパイプ７０ｃの第１通風路６８ｃ側の端部は、第１通風路６８ｃの第１開口部６９ｃに対して回転自在に取りつけられている。そして、台６０ｃを筐体２０ｃの内外に移動させるとき、フレキシブルパイプ７０ｃの第１通風路６８ｃの第１開口部６９ｃに対する取りつけ角度が変化し、フレキシブルパイプ７０ｃの少しの変形で、台６０ｃを移動させることができる。
そして、第２通風路７２ｃには第２開口部７３ｃと掃除機用吸い込み口６６ｃの間の通風を遮蔽することのできる遮蔽板７４ｃと遮蔽板７４ｃをスライドさせる遮蔽レバー７６ｃからなる遮蔽機構が設置されている。
【００４５】
そして、図８に示すとおり、台６０ｃの後方端部には台移動用開口部３４ｃの上端よりも上方に伸びる台ストッパ６５ｃが形成されており、台ストッパ６５ｃが筐体２０ｃの内側に当たる位置で台６０ｃの引き出しが止まる構造となっている。そして、台６０ｃの下面には実施例１と同様のローラーが嵌め込まれており、筐体２０ｃの底面にはスライドレール３６ｃが取りつけられている。なお、図１０ではローラーの記載を省略している。
そして、台６０ｃの第２開口部７３ｃが設けられた側面には磁石につく性質を有する金属板６２ｃ（図１０（ａ）参照）が貼り付けられており、第２開口部７３ｃが面する筐体２０ｃの後方の側面の内側には磁石製のストッパ３８ｃが貼り付けられている。そして、ローラーをスライドレール３６ｃに乗せて台６０ｃの金属板６２ｃが筐体２０ｃのストッパ３８ｃに接触する位置に台６０ｃを置くと、第２通風路７２ｃの第２開口部７３ｃに筐体２０ｃの後方の側面の内側に設置されたた塞ぎ板３３ｃの凸部が入り込んで第２開口部７３ｃが塞がれた状態となる。
【００４６】
掃除機１６を台６０ｃに載置した状態で、掃除機１６の吸い込み具１８の吸い込み口１９を台６０ｃの掃除機用吸い込み口６６ｃと接合させるためには、台６０ｃの上面に吸い込み具１８の周囲を囲むガイド板を設置して、ガイド板に合わせて、掃除機１６の吸い込み具１８を台６０ｃの上面に載置してもよい。ガイド板をスライド式とすれば、形状の異なる吸い込み具１８への対応が容易である。
【００４７】
［実施例３の効果］
除挨器１０ｃによれば、台６０ｃのローラーをスライドレール３６ｃに乗せて台６０ｃの金属板６２ｃ（図１０（ａ）参照）が筐体２０ｃのストッパ３８ｃに接触する位置で台６０ｃを筐体２０ｃに収納することができる。そして、掃除機１６の吸い込み口１９を台６０ｃの掃除機用吸い込み口６６ｃに接合させて掃除機１６を台６０ｃに載置することができる。
この状態で、掃除機１６の吸い込み口１９が台６０ｃの第１通風路６８ｃと筐体通風路３０ｃを経て筐体２０ｃに設けられた吸引口２６ｃに連通する。そして、台６０ｃの第２通風路７２ｃは筐体２０ｃの背面の塞ぎ板３３ｃによって塞がれている。そして、掃除機１６を作動させるスイッチのある把持部１７は筐体２０ｃの上面開口部２４ｃから突出している。
よって、接続等の準備作業をすることなく、手軽に、吸引口２６ｃに掃除道具を当てて掃除道具に吸着した埃、花粉、糸くず等のゴミを除去することができる。そして、吸引口２６ｃは筐体２０ｃの上面の蓋２２ｃに設けられ筐体２０ｃに固定されているので、安定した状態で、楽な姿勢で掃除道具に吸着したゴミを除去することができる。また、汎用の掃除機を利用できるので経済的である。
【００４８】
そして、側面扉２７ｃと上部扉４３ｃを開ければ、台６０ｃに掃除機１６を乗せたままで、台６０ｃと掃除機１６を筐体２０ｃの側面下部に引き出すことができる。そして、台ストッパ６５ｃが筐体２０ｃの側面の内側に当たったところで引き出しを止めればよい。そして、引き出す前に掃除機１６の吸い込み具１８の吸い込み口１９と台６０ｃの掃除機用吸い込み口６６ｃが接合した状態であれば、接合のために掃除機１６の位置を調節する必要がない。
この状態では、掃除機１６の吸い込み口１９が繋がる第２通風路７２ｃの第２開口部７３ｃが筐体２０ｃの内部に開口するので、筐体２０ｃの上面開口部２４ｃから掃除道具の払拭部を筐体２０ｃの内部に挿入して筐体２０ｃの内部で払拭部を振り動かすことにより、掃除道具から筐体２０ｃの内部に振り払われたゴミを吸い取ることができる。この時、吸引口２６ｃを遮蔽蓋などで閉じることによって、第２開口部７３ｃの吸引力を増すことができる。
【００４９】
なお、台６０ｃを筐体２０ｃの側面下部に引き出して掃除機１６を台６０ｃに載置した状態でも、掃除機１６の吸い込み具１８の吸い込み口１９は第１通風路６８ｃを経由して筐体２０ｃに設けられた吸引口２６ｃに連通しているが、吸引口２６ｃよりも筐体２０ｃの上面開口部２４ｃの方が開口面積が広いので、吸引口２６ｃの吸引力は弱い。ここで、第２通風路７２ｃに設置された遮蔽機構の遮蔽レバー７６ｃをスライドさせて第２通風路７２ｃの第２開口部７３ｃと掃除機用吸い込み口６６ｃの間の通風を遮蔽機構の遮蔽板７４により遮蔽すると、掃除機１６の吸い込み口１９に連通して開口するのは吸引口２６ｃのみになる。すると、掃除機１６の吸引力は吸引口２６ｃに集中するので、吸引口２６ｃに掃除道具を当てて掃除道具に吸着したゴミを除去することができるようになる。
このように、除挨器１０ｃでは、台６０ｃおよび掃除機１６を筐体２０ｃの外に出したままで、台６０ｃの第２通風路７２ｃに設置された遮蔽機構の開閉により、筐体２０ｃの内部に振り払われたゴミの除去と、吸引口２６ｃで吸い取るゴミの除去を手軽に切り替えることができる。
【実施例４】
【００５０】
［実施例４の構成］
図１１に、本発明の実施例４の除挨器１０ｄの斜視図を示す。除挨器１０ｄはハンディワイパーや静電気クリーナーのようなゴミを吸着させる払拭部と保持用の把持部とを備えた掃除道具に吸着したゴミを除去する除挨器であって、掃除機１６を収容できる筐体２０ｄと、筐体２０ｄの内部の底部に設置され掃除機１６のスタンドとして使用される台６０ｄとを備え、筐体２０ｄの上面は開閉可能な蓋２２ｄで構成されている。
除挨器１０ｄは、実施例２の除挨器１０ａと共通の構成を備え、更に、筐体２０ｄの内部に筐体２０ｄの内部で回動が可能な回動式通風路８３ｄを備えており、回動式通風路８３ｄの端部が、蓋２２ｄに設けられた通風路挿通口２５ｄから筐体２０ｄの上面に突出している。図１１に示した除挨器１０ｄの他の構成は、図４に示した除挨器１０ａと共通するので、対応する符号を付して、詳細な説明は省略する。
【００５１】
図１２に、台６０ｄに掃除機１６を載置し側面扉２７ｄを開けて、台６０ｄを台移動用開口部３４ｄから筐体２０ｄの外部に引き出した状態を台６０ｄの側から見た除挨器１０ｄの斜視図を示す。図１２では側面扉２７ｄと筐体２０ｄの側面の１部を透過表示しており、回動式通風路８３ｄの上端を拡大表示している。回動式通風路８３ｄは、２つの支持部材８８ｄによって回動自在に支持される円筒部と、円筒部の下端から筐体２０ｄの底部に沿って伸びる柱状部から構成されており、柱状部の先端に筐体２０ｄの内部に開口する内部開口部８７ｄを備えている。そして、回動式通風路８３ｄの円筒部の上端は、蓋２２ｄに設けられた通風路挿通口２５ｄから筐体２０ｄの上面に突出しており、円筒部の上端に筐体２０ｄの外部に開口する外部開口部８４ｄを備えている。そして、外部開口部８４ｄには回動式通風路８３ｄを回動させる時のツマミとなる操作部材８５ｄが取りつけられており、操作部材８５ｄは吸引用開口部８６ｄを備え、吸引用開口部８６ｄは外部開口部８４ｄと連通している。そして、通風路挿通口２５ｄは、操作部材８５ｄが図１２に示した向きの時に操作部材８５ｄが引っ掛からずに蓋２２ｄが開閉できる形状とされている。
図１２に示した除挨器１０ｄの他の構成は、図５に示した除挨器１０ａの構成と共通するので、対応する符号を参照し、詳細な説明は省略する。
【００５２】
図１３に、台６０ｄに掃除機１６を載置して台６０ｄを筐体２０ｄの外部に引き出し、側面扉２７ｄを閉めた状態で、台６０ｄの反対側から見た除挨器１０ｄの斜視図を示す。図１３では内部の様子が分かるように筐体２０ｄの背部の側面を透視表示している。
台６０ｄの台開口部６４ｄの周囲には磁石につく性質を有する金属製の枠体６７ｄが埋め込まれている。そして、回動式通風路８３ｄの内部開口部８７ｄの周囲には柔軟性及び弾性のあるスペーサが貼り付けられており、内部開口部８７ｄの長手方向の両脇にはスペーサの中に磁石製の接合部材８９ｄが埋め込まれている。
図１３に示した除挨器１０ｄの構成は、通風路挿通口２５ｄ、枠体６７ｄ、回動式通風路８３ｄとその付属物、支持部材８８ｄを除いて、図６に示した除挨器１０ａと共通するので、対応する符号を付して、詳細な説明は省略する。
そして、図１３に示した状態から、操作部材８５ｄを反時計回りに９０度回転させると、回動式通風路８３ｄが円筒部を軸に回動して、内部開口部８７ｄの周囲のスペーサが少し圧縮された状態で、内部開口部８７ｄの両脇の接合部材８９ｄが、台開口部６４ｄの周囲の枠体６７ｄに接触し、回動式通風路８３ｄの内部開口部８７ｄが台６０ｄの台開口部６４ｄと接合する。
図１４に、回動式通風路８３ｄを反時計回りに９０度回動させた状態の除挨器１０ｄの内部の様子を示す。
【００５３】
［実施例４の効果］
実施例４の除挨器１０ｄによれば、掃除機１６と台６０ｄを筐体２０ｄに収容した状態で、実施例２の除挨器１０ａと同様に吸引口２６ｄにより、掃除道具に吸着したゴミの除去ができる。そして、台６０ｄを筐体２０ｄから引き出して台６０ｄに掃除機１６を載置すると、掃除道具から筐体２０ｄの内部に振り払われたゴミを吸い取ることができる。
そして、台６０ｄを筐体２０ｄから引き出して台６０ｄに掃除機１６を載置した状態で、操作部材８５ｄを回転操作することにより、回動式通風路８３ｄの内部開口部８７ｄを台通風路６３ｄの台開口部６４ｄに接合させることができる。すると、操作部材８５ｄの吸引用開口部８６ｄから台６０ｄの掃除機用吸い込み口６６ｄに至る通風路が形成され、操作部材８５ｄの吸引用開口部８６ｄで掃除道具に吸着したゴミを除去することができる。そして、操作部材８５ｄを逆回転させると、台通風路６３ｄの台開口部６４ｄは筐体２０ｄに開口し、筐体２０ｄの内部に振り払われたゴミを除去することができる。
実施例４の除挨器１０ｄによれば、台６０ｄと掃除機１６を筐体２０ｄの外に出したままで、操作部材８５ｄの回転操作により、筐体２０ｄの内部に振り払われたゴミの除去と、操作部材８５ｄの吸引用開口部８６ｄで吸い取るゴミの除去を手軽に切り替えることができる。
【００５４】
［他の変形例］
実施例２の変形例で吸引口に差し込んで使用する吸引用ノズルを示したが、吸引用ノズルは差し込み式に限られず、スライド式にすることもできる。図１５（ａ）、図１５（ｂ）に筐体２０ｅの上面に設けられた吸引口２６ｅに収納されたスライド式の吸引用ノズル５０ｅの断面図を示す。吸引用ノズル５０ｅは図１５（ａ）に示すように先端部５２ｅが筐体２０ｅの表面から突出しない状態で吸引口２６ｅに収納されており、側壁部５４ｅのストッパ用凸部５１ｅが筐体通風路３０ｅの内周面に設けられた凹部に嵌って止まっている。そして、図１５（ｂ）に示すように、吸引用ノズル５０ｅを吸引口２６ｅから上方へスライドさせて先端部５２ｅを筐体２０ｅの表面から突出させた状態で止めることができる。
この構成では、吸引用ノズル５０ｅを筐体２０ｅの表面から突出させることにより、吸引用ノズル５０ｅの先端部５２ｅが掃除道具の払拭部の内部まで入るので、払拭部の内部に入り込んだゴミを除去することが容易となる。また、吸引用ノズル５０ｅの保管が容易である。
また、差し込み式とスライド式のいずれの形式の吸引用ノズルについても、側壁部を櫛状とすることができる。図１５（ｃ）に差し込み式の吸引用ノズル４５ｅの側壁部４８ｅの先端部４６ｅ側を櫛状とした例を示す。吸引用ノズルの側壁部を櫛状とすれば、掃除道具の払拭部に絡みついた毛髪や糸くず等の除去が容易である。
【００５５】
上述の各実施例では、掃除機を台の上面に直接載置する例を示したが、台の上面に掃除機を載置するための上面板を設置しても良い。
図１６（ａ）〜図１６（ｃ）に、台６０ｆの上面に上面板８０ｆを設置した例を示す。図１６（ａ）は上面板８０ｆが設置された台６０ｆに掃除機１６ｆを載置した状態を示す。上面板８０ｆは掃除機用吸い込み口６６ｆに対応する部分が開口しており、台６０ｆの掃除機用吸い込み口６６ｆに近い側の端部となる前方側で上面板８０ｆを台６０ｆの上部に蝶番８１ｆを用いて固定し、台６０ｆの後方部と上面板８０ｆの間に弾性体８２ｆを設置している。弾性体はバネでもゴムでも良い。そして図１６（ｂ）に示すように、掃除機１６ｆを台６０ｆに載置しない状態では上面板８０ｆの後方が持ち上がって傾斜する。掃除機１６ｆを把持部１７ｆを持って持ち上げると、吸い込み具１８ｆは吸い込み口１９ｆが形成された側が下がるので、上面板８０ｆが同じ側に傾斜していれば掃除機１６ｆを台に載置し易くなる。そして、掃除機１６ｆを台６０ｆに載置すると図１６（ｃ）に示すように弾性体８２ｆが圧縮されて上面板８０ｆは水平になる。
【００５６】
上述の各実施例では、除挨器で使用する掃除機の例として、掃除機の本体に吸い込み具が直接取りつけられているものを示したが、本発明の除挨器では、本体と吸い込み具が吸引ホースで接続された掃除機も使用することができる。図１７に本体９２と吸い込み具９４が吸引ホース９６で接続された掃除機９０を除挨器の台６０ｇに載置した状態を示す。掃除機９０は、本体９２に設けられた凹部に吸い込み具９４に設けられたフックを掛けることにより、吸い込み具９４の吸い込み口９８を床に接する状態で収納できる構造となっている。そして、収納時に吸い込み口９８を床に接する状態で収納できる掃除機９０は、台６０ｇに載置して、吸い込み口９８を台６０ｇの上面に設けられた掃除機用吸い込み口６６ｇに接合させることが容易である。
また、上述の各実施例では、掃除機の把持部が筐体の上面開口部から突出する例を示したが、掃除機の全体が筐体に収まる場合も、上面開口部から掃除機が露出するので、掃除機を筐体に収納した状態で掃除機の操作をすることができる。また、台移動開口部を備えた構成では、掃除機の全体が筐体に収まる場合は、側面扉を設けるだけで、掃除機を台に載せたままで、筐体の側面から掃除機を筐体から出したり筐体の内部へ収納したりすることができる。
【００５７】
上述の各実施例では、台の掃除機用吸い込み口と掃除機の吸い込み具の吸い込み口を接合させる方法をいくつか示したが、多様な吸い込み具の形状に対応させるために、台の上面にガイド治具を備える構成としても良い。
図１８（ａ）に後方ガイド治具１１０と側方ガイド治具１２０を備えた台１００の上面図を示す。そして、図１８（ｂ）に後方ガイド治具１１０の側面図、図１８（ｃ）に側方ガイド治具１２０の側面図を示す。後方ガイド治具１１０はアンカーボルト１１２と２つのスライド部材１１４とガイド部材１１６と２つの締結具１１８からなり、アンカーボルト１１２により台１００の所定の位置に固定される。そして、アンカーボルト１１２に対してガイド部材１１６の位置及び向きを台１００上で伸縮及び回転自在に移動させてガイド部材１１６の正面を掃除機の吸い込み具１０８の後方に合わせる。そして、アンカーボルト１１２と締結具１１８を締めてガイド部材１１６の位置及び向きを固定する。
側方ガイド治具１２０はアンカーボルト１２２とスライド部材１２４とガイド部材１２６と締結具１２８からなり、アンカーボルト１２２により台１００の所定の位置に固定される。図１８（ｄ）にガイド部材１２６の正面図を示す。ガイド部材１２６は図１８（ｄ）に示す通り側面が傾斜している。そして、アンカーボルト１２２に対してガイド部材１２６の位置及び向きを台１００上で伸縮及び回転自在に移動させてガイド部材１２６の側面を掃除機の吸い込み具１０８の側方に合わせる。そして、アンカーボルト１２２と締結具１２８を締めてガイド部材１２６の位置及び向きを固定する。
後方ガイド治具１１０及び側方ガイド治具１２０を上述の通りに調整しておくことにより、ガイド部材１１６、ガイド部材１２６の傾斜面が掃除機の吸い込み具１０８をガイドするので、台１００の掃除機用吸い込み口１０４と掃除機の吸い込み具１０８の吸い込み口を容易に接合させることができる。
上述のようなガイド治具を備えれば、多様な形状の掃除機の吸い込み具に対して、台の掃除機用吸い込み口と掃除機の吸い込み具の吸い込み口を容易に接合させられる。
【００５８】
ところで、掃除機の吸い込み口の周囲の高さが一定でない場合には、台１００の掃除機用吸い込み口１０４と掃除機の吸い込み具１０８の吸い込み口を接合させても、掃除機の吸い込み口の周囲に隙間が生じ、除挨のための吸引力が低下することがある。そこで、この場合は、図１８（ｅ）に示すように、台１００の上面の掃除機用吸い込み口１０４の周囲に、掃除機の吸い込み口を囲む位置に対応させて、柔軟性のあるスペーサ１０６を貼り付けて、掃除機の吸い込み口の周囲の隙間を塞ぐことが好ましい。また、掃除機の吸い込み具１０８の前面はゴミを吸い込むための隙間が設けられていることが多いので、スペーサ１０６は、図１８（ｆ）に示すように台ストッパ１０２にかかるように貼り付けることが好ましい。なお、図１８（ｆ）ではガイド治具の記載は省略している。
【００５９】
上述の各実施例では筐体の上面に吸引口を設ける例を示したが、吸引口は筐体の側面に設けても良い。
そして、上述の各実施例では筐体の上面を取り外しのできる蓋としたが、筐体の上面をいずれかの側面の上端に蝶番で固定して開閉できる構成としても良い。
本発明の除挨器にはコード式の掃除機も充電式の掃除機も使用できる。コード式の場合は、上面開口部からコードを引き出せばよい。また、筐体に電源用コードとコンセントの口を設置して、筐体から掃除機に電気を供給できる形式としても良い。その時は、電源用コードの途中に中間スイッチを設けて、中間スイッチを筐体の上面又は側面に設置することにより、中間スイッチで掃除機のオン、オフができるようにしても良い。
そして、側面扉をラックピニオンやボールネジ等を使用してモーターの回転でスライドする電動式としてもよい。
そして、通風路開口部と台開口部の接合部など、開口部同士が接合して通風路を接続する各接合部には、弾性、柔軟性のあるスペーサを設置し、接合部の機密性を確保するとよい。
その他、本発明に係る除挨器はその発明の思想の範囲で、各種の形態で実施できるものである。
【符号の説明】
【００６０】
１０、１０ａ、１０ｂ、１０ｃ、１０ｄ 除挨器
１２ ハンディワイパー
１６、１６ｆ 掃除機
１７、１７ｆ 把持部
１８、１８ｆ 吸い込み具
１９、１９ｆ 吸い込み口
２０、２０ａ、２０ｂ、２０ｃ、２０ｄ、２０ｅ 筐体
２２、２２ａ、２２ｂ、２２ｃ、２２ｄ 蓋
２４、２４ａ、２４ｂ、２４ｃ、２４ｄ 上面開口部
２５ｄ 通風路挿通口
２６、２６ａ、２６ｂ、２６ｃ、２６ｄ、２６ｅ 吸引口
２７ａ、２７ｂ、２７ｃ、２７ｄ 側面扉
２８ａ、２８ｂ、２８ｃ、２８ｄ レール
２９ａ、２９ｄ スライドブロック
３０、３０ａ、３０ｂ、３０ｃ、３０ｄ、３０ｅ 筐体通風路
３２、３２ａ、３２ｂ、３２ｄ 通風路開口部
３３ｃ 塞ぎ板
３４ａ、３４ｂ、３４ｃ、３４ｄ 台移動用開口部
３６、３６ａ、３６ｂ、３６ｃ、３６ｄ スライドレール
３８、３８ａ、３８ｂ、３８ｃ、３８ｄ ストッパ
４０ａ、４０ｂ、４０ｄ 切り欠き部
４１ａ、４１ｂ、４１ｄ レバー
４２ａ、４２ｂ、４２ｄ 突起物
４３ｃ 上部扉
４４ｃ 保持部
４５ｂ、４５ｅ 吸引用ノズル
４６ｂ、４６ｅ 先端部
４８ｂ、４８ｅ 側壁部
５０ｅ 吸引用ノズル
５１ｅ ストッパ用凸部
５２ｅ 先端部
５４ｅ 側壁部
５６ｂ 吸引口
５８ｂ 補助通風路
６０、６０ａ、６０ｂ、６０ｃ、６０ｄ、６０ｆ、６０ｇ 台
６１ ローラー
６２、６２ａ、６２ｃ、６２ｄ 金属板
６３、６３ａ、６３ｄ 台通風路
６４、６４ａ、６４ｄ 台開口部
６５ａ、６５ｃ、６５ｄ 台ストッパ
６６、６６ａ、６６ｂ、６６ｃ、６６ｄ、６６ｆ、６６ｇ 掃除機用吸い込み口
６７ｄ 枠体
６８ｃ 第１通風路
６９ｃ 第１開口部
７０ｃ フレキシブルパイプ
７２ｃ 第２通風路
７３ｃ 第２開口部
７４ｃ 遮蔽板
７６ｃ 遮蔽レバー
８０ｆ 上面板
８１ｆ 蝶番
８２ｆ 弾性体
８３ｄ 回動式通風路
８４ｄ 外部開口部
８５ｄ 操作部材
８６ｄ 吸引用開口部
８７ｄ 内部開口部
８８ｄ 支持部材
８９ｄ 接合部材
９０ 掃除機
９２ 本体
９４ 吸い込み具
９６ 吸引ホース
９８ 吸い込み口
１００ 台
１０２ 台ストッパ
１０４ 掃除機用吸い込み口
１０６ スペーサ
１０８ 吸い込み具
１１０ 後方ガイド治具
１１２ アンカーボルト
１１４ スライド部材
１１６ ガイド部材
１１８ 締結具
１２０ 側方ガイド治具
１２２ アンカーボルト
１２４ スライド部材
１２６ ガイド部材
１２８ 締結具
【図１】
2015202176.tif 000003
【図２】
2015202176.tif 000004
【図３】
2015202176.tif 000005
【図４】
2015202176.tif 000006
【図５】
2015202176.tif 000007
【図６】
2015202176.tif 000008
【図７】
2015202176.tif 000009
【図８】
2015202176.tif 000010
【図９】
2015202176.tif 000011
【図１０】
2015202176.tif 000012
【図１１】
2015202176.tif 000013
【図１２】
2015202176.tif 000014
【図１３】
2015202176.tif 000015
【図１４】
2015202176.tif 000016
【図１５】
2015202176.tif 000017
【図１６】
2015202176.tif 000018
【図１７】
2015202176.tif 000019
【図１８】
2015202176.tif 000020
【手続補正書】
【提出日】平成26年12月22日(2014.12.22)
【手続補正１】
【補正対象書類名】明細書
【補正対象項目名】０００９
【補正方法】変更
【補正の内容】
【０００９】
上記課題を解決するため、本発明にかかる除挨器は次の手段をとる。
まず、本発明の第１の発明は、ハンディワイパー等の掃除道具に吸着したゴミを除去する除挨器であって、
掃除機を収納できる筐体と、該筐体の内部の底部に設置され該掃除機のスタンドとして使用される台とを備え、該筐体の上面は開閉可能な構成とされており、
前記筐体の上面に上面開口部が設けられ、該筐体の上面又は該筐体の底部から上方に離れた位置となる該筐体の側面に前記掃除道具に吸着したゴミを吸い込むための吸引口が設けられ、該筐体の内部に該吸引口に開口し該筐体の下部に達する筐体通風路が設置され、
前記台の内部に該台の外側に開口する台通風路が設けられ、該台の上面に該台通風路に繋がる掃除機用吸い込み口が設けられ、
前記台通風路と前記筐体通風路が連通している除挨器である。
【手続補正２】
【補正対象書類名】明細書
【補正対象項目名】００５９
【補正方法】変更
【補正の内容】
【００５９】
上述の各実施例では筐体の上面に吸引口を設ける例を示したが、吸引口は筐体の側面に設けても良い。吸引口を筐体の側面に設ける場合は、吸引口にハンディワイパー等を楽な姿勢で当てられるように、吸引口を筐体の底部から上方に離れた位置となる筐体の側面に設ける。
そして、上述の各実施例では筐体の上面を取り外しのできる蓋としたが、筐体の上面をいずれかの側面の上端に蝶番で固定して開閉できる構成としても良い。
本発明の除挨器にはコード式の掃除機も充電式の掃除機も使用できる。コード式の場合は、上面開口部からコードを引き出せばよい。また、筐体に電源用コードとコンセントの口を設置して、筐体から掃除機に電気を供給できる形式としても良い。その時は、電源用コードの途中に中間スイッチを設けて、中間スイッチを筐体の上面又は側面に設置することにより、中間スイッチで掃除機のオン、オフができるようにしても良い。
そして、側面扉をラックピニオンやボールネジ等を使用してモーターの回転でスライドする電動式としてもよい。
そして、通風路開口部と台開口部の接合部など、開口部同士が接合して通風路を接続する各接合部には、弾性、柔軟性のあるスペーサを設置し、接合部の機密性を確保するとよい。
その他、本発明に係る除挨器はその発明の思想の範囲で、各種の形態で実施できるものである。
【手続補正３】
【補正対象書類名】特許請求の範囲
【補正対象項目名】請求項１
【補正方法】変更
【補正の内容】
【請求項１】
ハンディワイパー等の掃除道具に吸着したゴミを除去する除挨器であって、
掃除機を収納できる筐体と、該筐体の内部の底部に設置され該掃除機のスタンドとして使用される台とを備え、該筐体の上面は開閉可能な構成とされており、
前記筐体の上面に上面開口部が設けられ、該筐体の上面又は該筐体の底部から上方に離れた位置となる該筐体の側面に前記掃除道具に吸着したゴミを吸い込むための吸引口が設けられ、該筐体の内部に該吸引口に開口し該筐体の下部に達する筐体通風路が設置され、
前記台の内部に該台の外側に開口する台通風路が設けられ、該台の上面に該台通風路に繋がる掃除機用吸い込み口が設けられ、
前記台通風路と前記筐体通風路が連通している除挨器。